Podtech/llm-jp-corpus-v4-ja_patent huggingface dataset:
(57)【要約】【課題】  他人に物体の個数や動作の回数を数取器を用いてカウントさせる場合において、不正なカウントの有無を容易に判断できるようにする。【解決手段】  カウントする物体又は動作を撮影した動画に数取器の表示部が映るように前記数取器がビデオカメラに連結されている。【特許請求の範囲】
【請求項１】
撮影した動画に数取器の表示部が映るように前記数取器が連結されたビデオカメラ。
【請求項２】
電子数取器が有線又は無線によって接続されたビデオカメラであって、動画の撮影中に前記電子数取器がカウントした数値を前記動画に表示するビデオカメラ。
【請求項３】
カウント用のボタン又はレバーが本体に設けられたビデオカメラであって、動画の撮影中に前記ボタン又は前記レバーが操作された回数をカウントして前記動画に表示するビデオカメラ。
【請求項４】
カウント用のボタン又はレバーが有線又は無線によって接続されたビデオカメラであって、動画の撮影中に前記ボタン又は前記レバーが操作された回数をカウントして前記動画に表示するビデオカメラ。
【発明の詳細な説明】
【技術分野】
【０００１】  本発明は、ビデオカメラ及び数取器に関する。
【背景技術】
【０００２】  従来、物体の個数や動作の回数を人間が長時間にわたってカウントする場合、人間の記憶力では困難であるため、数取器を用いて行われてきた。【０００３】  ところで、他人に物体の個数や動作の回数を数取器を用いてカウントさせる場合、不正（意図的に増減させること）なくカウントしたかを確認するため、また、不正に対する抑止力とするため、カウントする物体や動作の動画をビデオカメラで撮影しながらカウントさせることが考えられる。
【発明の概要】
【発明が解決しようとする課題】
【０００４】  しかしながら、単に撮影した動画を見て確認するのでは、動画を最初から最後まで見てカウントし直さなければ不正なカウントの有無を判断できない。これでは、動画が長時間にわたるものであれば、多大な時間と労力を費やすことになる。
【課題を解決するための手段】
【０００５】  そこで、本発明は、撮影した動画に数取器の表示部（カウントした数値を表示する部分）が映るように前記数取器がビデオカメラに連結されている構成を採っている。【０００６】  また、本発明は、電子数取器（デジタル数取器）が有線又は無線によってビデオカメラに接続されており、そして、前記ビデオカメラは動画の撮影中に前記電子数取器がカウントした数値を前記動画に表示する構成を採ることもできる。【０００７】  また、本発明は、カウント用のボタン又はレバーがビデオカメラの本体に設けられており、そして、前記ビデオカメラは動画の撮影中に前記ボタン又は前記レバーが操作された回数をカウントして前記動画に表示する構成を採ることもできる。【０００８】  また、本発明は、カウント用のボタン又はレバーが有線又は無線によってビデオカメラに接続されており、そして、前記ビデオカメラは動画の撮影中に前記ボタン又は前記レバーが操作された回数をカウントして前記動画に表示する構成を採ることもできる。
【発明の効果】
【０００９】  本発明によれば、他人に物体の個数や動作の回数を数取器を用いてカウントさせる場合、カウントする物体や動作をビデオカメラで撮影した動画を最初から最後まで見なくても、任意で選んだ（いくつかの）時間帯における物体の個数や動作の回数の増加分と数取器のカウントした数値の増加分の一致不一致を見るだけで不正なカウントの有無をおおよそ判断できる（任意で選んだ時間帯において不正なくカウントされていれば、他の時間帯においても不正なくカウントされていると推定できる）ので、不正なカウントの有無を判断するために費やす時間と労力を大幅に削減することができる。
(57)【要約】【課題】車や自転車にスマホを取付けるクリップ型スマホホルダーは固く扱いずらく、手帳型のカバーが付いたスマホはカバーが歪んでしまい取り付けられない。スマホの取り付けが容易で手帳型カバーがついたスマホでも取り付けることができるスマホホルダーや対応ケース及び方法の提供が課題である。【解決手段】ビニールスマホケースの裏外側に板を取り付け、その板にクリップ型スマホホルダーのクリップを挟ませ直接スマホにクリップさせない仕方により、手帳型カバーが付いたスマホでも車や自転車のホルダーに取り付けられるようになり、クリップにケースを付けたままにしておけばスマホをケースに入れるだけで車や自転車に簡単にスマホを取付けできるようになる。【選択図】図３
2020078037.tif 000002
【特許請求の範囲】
【請求項１】
クリップ型スマホホルダーをクリップさせる板などの部分が付いていることを特徴とするスマホケース
【請求項２】
クリップ型スマホホルダーをクリップさせる部分をスマホケースに付けることを特徴とする方法
【請求項３】
前面がスマホを操作できるビニールとなる袋及びケースの使用を特徴とするスマホホルダー
【発明の詳細な説明】
【技術分野】
【０００１】  本発明は、スマホホルダーに手帳型のスマホカバーを付けたスマホを簡単に取り付けることのできるスマホケース及び方法に関するものである。
【背景技術】
【０００２】  スマートフォンの普及により、地図をスマホで見る人が増えている為、カーナビとしてスマホを車や自転車に取り付ける人が多くなっている。車や自転車にスマホを取り付ける方法としてクリップのような形でスマホを挟み込み固定するタイプのスマホホルダーがある。クリップ型スマホホルダーは直接スマホを挟むことを想定しており、現在特に女性の多くはスマホに手帳型のカバーを付けている人が多いのだがクリップ型スマホホルダーにつけると手帳型のカバーに歪みが生じうまく取り付けることができない。【０００３】  またクリップが固く力が必要で女性が毎回取り付けるは大変であり傷もつけてしまいそうで気を遣ってしまう。簡単にスマホを車や自転車のホルダーに取り付ける方法があると便利である。車や自転車のスマホホルダーにはクリップ式の他にゴム式、マグネット式、取り付けられているケースにスマホを入れる方法もあるが、いずれも汎用性がなく大きさも手帳型カバーを想定していないものが多い。
【先行技術文献】
【非特許文献】
【０００４】
【非特許文献１】星光産業車載用スマホホルダー  手帳ケース対応  ｈｔｔｐ：／／ｗｗｗ．ｓｅｉｋｏｓａｎｇｙｏ．ｃｏ．ｊｐ／ｅｘｅａ／ｓｕｂｐａｇｅ５．ｐｈｐ？ｎｏ＝４８
【非特許文献２】ａｄｅｌｐｈｏｓ自転車用スマホホルダー  ケース  ｈｔｔｐ：／／ｗｗｗ．ａｄｅｌｐｈｏｓ．ｂｉｚ／ｂｌａｎｋ−１
【発明の概要】
【発明が解決しようとする課題】
【０００５】  手帳型カバーのついたスマホでも車や自転車に簡単に取り付けられることが課題である。
【課題を解決するための手段】
【０００６】  本発明に係るクリップ型スマホホルダー対応スマホケース及び方法の発明はクリップさせる箇所を設けたスマホケースにスマホを入れて使うことで手帳型カバーの付いたスマホでもスマホホルダーに簡単に取り付けることができ課題を解決した。
【発明の効果】
【０００７】  本発明に係るクリップ型スマホホルダー対応スマホケース及び方法の発明はホルダーのクリップ可能範囲にとらわれ無い為手帳型カバーなどスマホ本体よりも大きなカバーがついたスマホを簡単にスマホホルダーに取り付けることが可能である。直接スマホを挟み圧力をかけない為カバーへの歪みも心配ない。【０００８】  クリップ型スマホホルダー対応スマホケースを付けたままであれば毎回挟む必要もなくケースの袋にスマホを入れるだけで非常に手軽で簡単である。【０００９】  自転車での使用時は全面ビニールケースになっているので埃避けや急な雨でも安心である。
【図面の簡単な説明】
【００１０】
【図１】スマホを指で操作できる透明のビニールを袋状にし裏面の外側に厚い板を接着した様を示した説明図である。
【図２】袋状のケースに上部からスマホを入れ上部を折り畳みボタンで留め袋を閉じた様を示した説明図である。
【図３】裏面に取り付けた厚めの板に車などのスマホホルダーのクリップで挟んだ様を（ａ）裏側（ｂ）表側にて示した説明図である。
【発明を実施するための形態】
【００１１】  本発明に係るクリップ型スマホホルダー対応スマホケース及び方法は、スマホ操作可能なビニールシートを手帳型カバー付きのスマホが楽に入る大きめの袋状にし上部は折り返しマジックテープやボタンなどで開閉可能な蓋を作りよくあるスマホ防水ケースのようなスマホケースに、図１のようにビニール裏側の外側にクリップ型スマホホルダーにクリップ可能な固く厚みのある板をしっかり取り付ける。
【００１２】  外側に取り付けた板にクリップ型スマホホルダーをクリップさせ図３のようにスマホケースを固定させる。図３（ａ）は裏から板をクリップが挟んでいるのを示した図である。図３（ｂ）は正面から見た図である。
【００１３】  ケースに板を取り付ける際ホルダーのクリップにツメがある場合があるので板とビニールの端は５ミリ程度空いていたほうがいいかもしれない。
【００１４】  スマホケース部分をプラスチックなどしっかりしたハードケースや布のような素材のソフトケースも想定できる。
【００１５】  あらかじめ袋として形を作らず、ビニール生地に板を張った状態で、スマホに合わせ折り畳み上下をたたむことによりケースの大きさを可変できるものも想定できる。ワニ口で挟んで留める方法や、取り付けた板に紐をつけ上下折り畳んだ部分を紐で留める方法など、蓋部と底部をサイズに合わせて留めることも想定できる。
【００１６】  板を付けたスマホケースを用意するのではなく通常使用している手帳型などのスマホカバーにスマホホルダーにクリップさせる板を貼り合わせて取り付けることや、元々板を装着している日常用のスマホカバーも想定できる。
【００１７】  前面がスマートフォンが操作できるビニールになっている袋またはケースと車や自転車などに取り付けるスマホホルダーが一体になっている一体型も想定できる。
【符号の説明】
【００１８】  １  スマホをビニールの上から操作できるビニール
２  クリップ型スマホホルダーにクリップさせる厚めの板
３  手帳型スマホカバー（スマホが操作できるよう蓋を外側に折り畳んだ状態）
４  スマートフォン（スマホ）
５  蓋を閉じる為のボタン
６  車などのクリップ型スマホホルダーのクリップ
７  車などのクリップ型スマホホルダーのアーム
【図１】
2020078037.tif 000003
【図２】
2020078037.tif 000004
【図３】
2020078037.tif 000005